(57)【要約】【課題】  木質パネルの側面に弾力性のある材料を均一かつ強固に取り付けることが可能な緩衝具を提供する。【解決手段】  木質パネル７の側面に取り付けられる、弾性部材５と固定部材６とを有する緩衝具３において、前記木質パネル７は、その側面に凹状の溝７ａが形成してあり、前記弾性部材５は、前記木質パネル７の側面に配置可能な長尺状に形成してあり、前記固定部材６は、前記弾性部材５を保持する保持部６ａと前記木質パネル７の前記溝７ａに嵌め込む固定部６ｂとを有し、前記保持部６ａと前記保持部６ａの中央から下方へ垂直に延びる前記固定部６ｂとで断面がほぼＴ字型になるよう形成した構成としてある。【選択図】図２
2020079501.tif 000002
【特許請求の範囲】
【請求項１】
木質パネルの側面に取り付けられる、弾性部材と固定部材とを有する緩衝具において、
前記木質パネルは、その側面に凹状の溝が形成してあり、
前記弾性部材は、前記木質パネルの側面に配置可能な長尺状に形成してあり、
前記固定部材は、前記弾性部材を保持する保持部と前記木質パネルの前記溝に嵌め込む固定部とを有し、前記保持部と前記保持部の中央から下方へ垂直に延びる前記固定部とで断面がほぼＴ字型になるよう形成してある
ことを特徴とする緩衝具。
【請求項２】
前記保持部は、
前記保持部と前記固定部とが交わる位置に凹部を備え、
前記凹部を中心として、その両側に湾曲部を形成し、前記湾曲部を前記弾性部材との保持面とした
ことを特徴とする請求項１に記載の緩衝具。
【請求項３】
前記凹部は、
前記木質パネルの前記溝幅よりも底面が幅広で、前記底面を前記木質パネルとの固定面とした
ことを特徴とする請求項２に記載の緩衝具。
【請求項４】
前記固定部材の材質を合成樹脂とした
ことを特徴とする請求項１〜３のいずれか一項に記載の緩衝具。
【請求項５】
前記弾性部材は、
前記木質パネルの側面において、表側に現れる部分を表面部とし、
前記木質パネルの側面と当接し、前記固定部材によって挟持される部分を底面部とした
ことを特徴とする請求項１〜４のいずれか一項に記載の緩衝具。
【発明の詳細な説明】
【技術分野】
【０００１】
本発明は、緩衝具に関し、特に、木質パネルの側面に弾力性のある材料を均一かつ強固に取り付けることが可能な緩衝具に関する。
【背景技術】
【０００２】
文教施設や福祉施設においては、利用者の安全性に対し、特に配慮が必要となる。このため、家具や壁の突出した箇所には、衝突時の怪我を防ぐ目的で、可能な限り、丸みを帯びた曲線状にすることや弾力性を持たせることが望ましいとされている。
【０００３】
戸においても同様の理由で、戸の側面を曲線状にすることや弾力性のある弾性材料を取り付けることが求められる。特に幼稚園や保育園などの場合は、主たる対象者が乳児や幼児であることから、戸の開閉動作の際、戸の隙間に指や手などの身体の一部が挟まったとしても、怪我につながらないようにすることが求められている。そのため、戸の側面に、弾力性と潰れしろのある材料を取り付ける配慮が必要となる。
なお、潰れしろとは、弾力性のある材料の通常の状態と潰れた状態の寸法の差のことで、幼児の指の太さを参考にして７ｍｍ程度以上は、確保する必要がある。
【０００４】
ところで、木質材料で作られた戸の側面に弾力性のあるゴム材などの弾性材料を取り付けるには、側面に溝を形成し、その溝に弾性材料を嵌め込んだ後、接着剤を用いて弾性材料を固定することが多く行われている（例えば、特許文献１）。
【先行技術文献】
【特許文献】
【０００５】
【特許文献１】特開２０１３−１６７１３４号公報
【発明の概要】
【発明が解決しようとする課題】
【０００６】
しかしながら、戸の側面の溝に、弾性材料を嵌め込んだ後、接着剤を用いて弾性材料を固定するには、側面方向から弾性材料を溝に圧入することとなり、圧入する力が弾性材料の持つ弾力性によって、うまく伝わらないため、隙間なく均一に嵌め込むことが難しい。そのため、弾性材料には、圧入に耐えうる硬さが必要となることから、潰れしろ７ｍｍ程度以上の弾力性を持たせることが難しくなる。
【０００７】
また、戸の側面に、溝や突起を設けずに接着剤を用いて弾性材料を固定することも行われているが、曲がりや隙間が生じやすいため、慎重に時間をかけて作業する必要がある。その上、接着剤の接着力だけに頼ることとなり、接着剤の劣化した箇所や隙間から、弾性材料が剥がれやすくなってしまうため、弾性材料の一部をネジやタッカーで戸の側面に部分的に固定する必要があった。
【０００８】
本発明は、上記事情に鑑みてなされたものであり、木質パネルの側面に弾力性のある材料を均一かつ強固に取り付けることが可能な緩衝具の提供を目的とする。
【課題を解決するための手段】
【０００９】
上記課題を達成するため、本発明は、木質パネルの側面に取り付けられる、弾性部材と固定部材とを有する緩衝具において、前記木質パネルは、その側面に凹状の溝が形成してあり、前記弾性部材は、前記木質パネルの側面に配置可能な長尺状に形成してあり、前記固定部材は、前記弾性部材を保持する保持部と前記木質パネルの前記溝に嵌め込む固定部とを有し、前記保持部と前記保持部の中央から下方へ垂直に延びる前記固定部とで断面がほぼＴ字型となるように構成してある。
【発明の効果】
【００１０】
本発明の緩衝具によれば、木質パネルの側面に弾力性のある材料を均一かつ強固に取り付けることができる。さらに、弾力性のある材料が劣化したときにも、比較的容易に新しい弾力性のある材料と交換することができる。
【図面の簡単な説明】
【００１１】
【図１】本発明の緩衝具を備えた引き戸を示す正面図である。
【図２】本発明の緩衝具の断面図である。
【図３】本発明の緩衝具を構成する部材を示し、（ａ−１）及び（ａ−２）は弾性部材の断面図及び断面斜視図、（ｂ−１）及び（ｂ−２）は固定部材の断面図及び断面斜視図、（ｃ−１）及び（ｃ−２）は木質パネルの断面図及び断面斜視図である。
【図４】本発明の緩衝具が取り付けられた引き戸に指が挟まれた状態を示す説明図であり、（ａ）は片引き戸タイプの引き戸、（ｂ）は両引き戸タイプの引き戸である。
【図５】本発明の緩衝具の取り付け方法の簡易例を示す説明図である。
【図６】本発明の緩衝具を用いた変形例を示す説明図であり、（ａ）は枠材に用いた例、（ｂ）は家具（テーブル）に用いた例である。
【発明を実施するための形態】
【００１２】
以下、図面を参照しながら、本発明の好ましい実施形態について説明する。
なお、木質パネル７は、木材を加工した木質材料であり、様々な種類があるが、引き戸１に本発明の緩衝具３を適用した場合を一例として、説明する。
【００１３】
図１は、本実施形態に係る緩衝具３を備えた片引き戸タイプの引き戸１を示す正面図である。
緩衝具３は、図１に示すように、引き戸１の側面の全面に亘って取り付けられる。このように、緩衝具３は、例えば、引き戸１などの戸の側面に用いられ、引き戸１と枠材２とが接触したときの衝撃を軽減するとともに、引き戸１と枠材２との隙間を塞ぐようになっている。
また、緩衝具３は、建物が傾いたりして枠材２が傾斜しているときにも有効で、この場合に生じる引き戸１と傾斜した枠材２との隙間も塞ぐことができる。
また、緩衝具３を用いることで、引き戸１の開閉動作の際、引き戸１と枠材２の間に誤って指や手などの身体の一部が挟まったとしても、怪我を防ぐことができる。
なお、緩衝具３は、図１に示すように、引き戸１の側面のほぼ全面に亘って取り付ける以外にも、例えば、引き戸１の取っ手がある中央付近だけに取り付けてもよく、全面だけでなく、引き戸１の側面の一部の面だけに取り付けることもできる。
【００１４】
図２は、本発明の緩衝具３の断面図であり、緩衝具３は、弾性部材５と、固定部材６とによって構成される。
緩衝具３は、図２に示すように、木質パネル７の側面（例えば、木質材料で製造された引き戸１の側面）に形成された凹状の溝７ａに嵌め込むことで固定される固定部材６と、その固定部材６と木質パネル７の側面の間に挟み込むことで保持される弾性部材５とにより構成され、弾性部材５が衝撃を軽減する。
緩衝具３は、固定部材６が木質パネル７の側面に沿った扁平な形状であるため、弾性部材５の内部の空洞を維持した状態で木質パネル７の側面に取付けられる。
【００１５】
次に、図３を参照しながら、具体的に緩衝具３を構成する部材である弾性部材５と、固定部材６とを説明する。図３は、本実施形態の緩衝具３を構成する部材を示し、弾性部材５、固定部材６及び木質パネル７それぞれの断面図及び断面斜視図である
【００１６】
［弾性部材］
弾性部材５は、図３（ａ−１）、（ａ−２）に示すように、長尺の筒状に形成されており、軟質材料からなる表面部５ａと、硬質材料からなる底面部５ｂとにより構成される。また、弾性部材５の表面部５ａは、その断面がほぼ半円形状に形成されており、底面部５ｂの一部分には、後に説明する固定部材６の凹部６０の底面６０ａよりも大きい開口５ｃが形成されている。すなわち、弾性部材５は、内部が空洞の半円形状に形成された表面部５ａと、一部が開口５ｃされ、引き戸１の側面に保持される底面部５ｂとで構成されている。
弾性部材５の材質としては、例えば、反発弾性、耐水性及び耐候性などに優れたＥＰＤＭ系ゴムなどのゴム材を用いることができる。
このように、弾性部材５の表面部５ａを半円形状に形成し、弾性部材５の材質をＥＰＤＭ系ゴムなどのゴム材を用いることで、衝撃を軽減することができる。
【００１７】
なお、弾性部材５の表面部５ａの断面形状は、半円形状に限られず、例えば、矩形状、凹状、凸状などでもよく、さらには、緩衝具３を取り付けた後、弾性部材５をより一層強固に取り付ける金具類などを付けるための凹みを設けた形状としてもよい。
次に、弾性部材５を構成する表面部５ａと、底面部５ｂとについて、説明する。
【００１８】
表面部５ａは、弾性部材５が木質パネル７に取り付けられた状態では、木質パネル７の側面において表側に現れる部分であり、半円形状の曲線部分が該当する。
表面部５ａには、軟質材料として、例えば、ＥＰＤＭスポンジなどのスポンジ材を用いることができる。
このように表面部５ａには、軟質材料が用いられ、丸みを帯びた曲線状に形成されているため、戸の開閉動作の際、戸の隙間に指や手などの身体の一部が挟まったとしても、表面部５ａの弾力性によって、衝撃を軽減し、怪我を防ぐことができる。
【００１９】
底面部５ｂは、木質パネル７の側面に当接し、固定部材６によって挟持される部分であり、半円形状の曲線部分の下端両側に位置する直線部分が該当する。
また、底面部５ｂは、弾性部材５が木質パネル７に取り付けられていない状態では、開口５ｃを中心として左右対称に内部の空洞に入り込むように形成されている。
このように底面部５ｂに対し、弾性部材５の内部の空洞に入り込むような傾斜を持たせることで、弾性部材５が木質パネル７に取り付けられたとき、底面部５ｂの元に戻ろうとする弾性力を利用して、弾性部材５の底面部５ｂと木質パネル７の側面との隙間を埋めることができる。さらに、弾性部材５の底面部５ｂと木質パネル７の側面とが、密着して当接するため、この傾斜の分だけ、表面部５ａが表側へ張り出され、潰れしろを確保することができる。
【００２０】
また、底面部５ｂは、木質パネル７の側面と固定部材６によって保持される際に、外側に広がらないように、剛性を高める必要があるため、例えば、ＥＰＤＭソリッドなどのソリッド材を用いる。
このように、木質パネル７の側面と固定部材６によって保持される部分を底面部５ｂとすることで、指や手などが触れる表面部５ａに軟らかさを持たせた弾性部材５を、木質パネル７に対して強固に取り付けることができる。
【００２１】
なお、弾性部材５の材質は、ＥＰＤＭ系ゴム以外にも、例えば、天然ゴム、クロロプレーン系ゴム、シリコーン系樹脂、塩化ビニル系樹脂、ＡＢＳ樹脂、ポリプロピレン系樹脂など、他のゴム材又は樹脂材でも可能である。
また、これらの材料のうち、選択する材料によっては、表面部５ａがスポンジ材になるが、塩化ビニル系樹脂の場合は、硬度を変えるだけで、表面部５ａと底面部５ｂとを同系素材で形成することができる。また、同じ硬度の素材を用いた場合には、その素材を薄くしたものを表面部５ａとして用いるとともに、その素材を厚くしたものを底面部５ｂとして用いることによって、同じ硬度の素材を表面部５ａと底面部５ｂとに兼用することができる。
【００２２】
［固定部材］
固定部材６は、図３（ｂ−１）、（ｂ−２）に示すように、保持部６ａと、固定部６ｂとにより構成され、部材の厚みは、木質パネル７に固定したときの衝撃に耐えうるように考慮して形成されている。また、固定部材６は、保持部６ａと保持部６ａの中央から下方へ垂直に延びる固定部６ｂとによって、断面形状がほぼＴ字型に一体形成されている。
このように、固定部材６の断面形状をほぼＴ字型に形成することで、固定部材６と木質パネル７との間に弾性部材５を挿入しやすくなるとともに、固定部材６の硬質性を利用して強固に弾性部材５を取り付けることができる。
固定部材６の材質としては、固定時の衝撃に耐え、耐久性及び耐衝撃性を向上させるため、例えば、硬質塩化ビニル系樹脂（ＰＶＣ）などの合成樹脂を用いることができる。
【００２３】
保持部６ａは、凹部６０と、湾曲部６１とにより構成され、弾性部材５を保持する。
保持部６ａは、扁平な形状であるため、弾性部材５の潰れしろを確保した状態で弾性部材５を木質パネル７に保持することができる。
【００２４】
凹部６０は、保持部６ａと固定部６ｂとが交わる位置に形成され、木質パネル７の溝７ａ幅よりもその底面６０ａが幅広の凹状に形成されており、底面６０ａを木質パネル７との固定面としている。
固定部材６に凹部６０を設けることで、凹部６０の底面６０ａと木質パネル７の側面とが平行に当接するため、木質パネル７の側面に対し、固定部材６を均一に固定することができる。その結果、固定部材６は、弾性部材５の全体を均一に保持することができる。
また、固定部材６に凹部６０を設けることで、木質パネル７の側面に対し、固定部材６が均一に当接されるため、凹部６０の内部にネジやタッカーを用いて固定する際、正確な固定位置を把握することができ、位置決めをしやすいという利点がある。
【００２５】
湾曲部６１は、凹部６０を中心として、その両側に、中央が窪んだ状態で外側に湾曲しながら広がって形成されている。これにより、固定部材６の保持部６ａと木質パネル７の側面との隙間を確保しやすくなる。
具体的には、湾曲部６１は、固定部材６が木質パネル７に固定された状態のとき、湾曲部６１の窪んだ部分と木質パネル７の側面との隙間が、弾性部材５の底面部５ｂの厚さより狭くなるように形成されている。これにより、湾曲部６１の窪んだ部分は、木質パネル７の側面との間で弾性部材５の底面部５ｂを保持する保持面となる。
なお、保持部６ａは、図３（ｂ−１）、（ｂ−２）に示すように、湾曲部６１の全体を緩やかに湾曲させた形状としてあるが、これ以外にも、一部のみを窪ませた形状としてもよく、さらには、複数の窪みを形成したものであってもよい。
複数の窪みを形成する場合、湾曲部６１をさらに外側に延設し、その延設した湾曲部６１に複数の窪みを設けることにより、木質パネル７の側面の大きさに合わせた弾性部材５を取り付けることができる。
【００２６】
固定部６ｂは、木質パネル７の溝７ａに嵌め込まれることで、木質パネル７に固定される。
固定部６ｂには、固定部材６を木質パネル７に固定した状態のとき、溝７ａの壁面に食い込むように、複数の鋸歯状の突起が溝７ａの幅方向に形成されている。
鋸歯状の突起は、等間隔に配置され、この鋸歯状の突起の斜面が木質パネル７の溝７ａの底面に向かうように形成されている。
このような鋸歯状の突起を固定部６ｂに設けることで、突起の弾性力により、固定部６ｂを溝７ａに嵌め込みやすくなるとともに、溝７から抜ける方向には鋸歯状の突起が溝７ａの壁面に引っ掛かり、固定部材６が木質パネル７から抜け難くなる。また、固定部６ｂの幅と木質パネル７の溝幅に多少の差があっても、鋸歯状の突起を形成することで、調整することができる。
【００２７】
なお、固定部材６の材質は、塩化ビニル系樹脂以外にも、例えば、ＡＢＳ系樹脂、ＡＥＳ系樹脂、ＰＰ系樹脂などの他の樹脂でも可能であり、さらには、アルミニウムなどの金属でも可能である。
【００２８】
［木質パネル］
木質パネル７は、図３（ｃ−１）、（ｃ−２）に示すように、木材を加工した木質材料であり、例えば、合板、パーティクルボード、ファイバーボード、集成材などが挙げられる。
木質パネル７には、その側面に長手方向に貫通した凹状の溝７ａが形成してあり、溝７ａの幅は、固定部材６の固定部６ｂの幅よりやや小さくなるように形成されている。また、溝７ａの幅は、固定部材６の凹部６０の底面６０ａよりも狭く形成されているため、凹部６０の底面６０ａを木質パネル７との固定面とすることができる。
【００２９】
［緩衝具の取り付け方法］
以下、このような部材から構成される緩衝具３を木質パネル７の側面へ取り付ける方法について説明する。
本実施形態の緩衝具３を木質パネル７の側面に取り付ける際には、まず、第１手順として、木質パネル７の側面に溝７ａを形成した後、その溝７ａに、固定部材６の固定部６ｂを嵌め込み固定する。
具体的には、木質パネル７の側面に緩衝具３を取り付けたい長さと同じ長さの溝７ａを形成する。次に、固定部材６の凹部６０の底面６０ａが木質パネル７の側面に当接するまで、固定部材６の固定部６ｂを溝７ａに嵌め込む。ここで、固定部材６を強固に固定するときには、凹部６０の内部に対しネジやタッカーを溝７ａに向けて打ち込むことになる。このとき、ネジやタッカーの長さは、木質パネル７の溝７ａの深さよりも長いネジやタッカーを用いて固定する。
なお、ネジやタッカーを用いずに溝７ａに予め接着剤を流し込んでおくことにより、固定部材６と木質パネル７の側面とを固定してもよい。
さらに、ネジやタッカーを用いる前に溝７ａに接着剤を流し込んでおき、固定部材６の固定部６ｂを溝７ａに嵌め込み、接着剤で固定した後、固定部材６の浮きを抑えるために、部分的、補助的にネジやタッカーを用いて固定してもよい。
【００３０】
次に、第２手順として、弾性部材５を木質パネル７の側面と固定部材６との間で挟持させる。
具体的には、弾性部材５の底面部５ｂを、開口５ｃ側の端部から木質パネル７の側面と固定部材６の湾曲部６１との間に挿入させ、挟み込む。このとき、固定部材６の湾曲部６１と木質パネル７の側面との隙間は、弾性部材５の底面部５ｂの厚さよりも狭くなるように形成されているため、弾性部材５の底面部５ｂは、湾曲部６１を上方に押し上げながら木質パネル７の側面と湾曲部６１との間に挿入される。
このように、木質パネル７の側面と固定部材６の湾曲部６１との間において弾性部材５の底面部５ｂが挟持されると、上方に押し上げられ弾性変形していた湾曲部６１が元の形状に戻ろうとする弾性力によって弾性部材５の底面部５ｂをしっかりと挟んで木質パネル７の側面との間で強固に保持する。
【００３１】
そして、最後に、第３手順として、必要に応じて、弾性部材５の底面部５ｂと木質パネル７の側面との間に接着剤を注入して固定し、緩衝具３の木質パネル７への取り付けを終了する。
具体的には、弾性部材５の底面部５ｂと木質パネル７の側面との間に、揮発性有機化合物を含有する接着剤を注入して固定する。このとき、接着剤は、全体ではなく、部分的、補助的に用いることになる。
これは、固定部材６の保持部６ａが持つ弾性力が、弾性部材５の底面部５ｂを木質パネル７の側面との間に挟み込み、弾性部材５を均一かつ強固に保持するため、全体に接着剤を用いる必要がないためである。
その結果、接着剤の揮発物質による弾性部材５の溶解を最小限に抑えることができ、弾性部材５の劣化を抑えることができる。また、弾性部材５が劣化したときに、全体に接着剤を用いないため、新しい弾性部材５と交換も容易になる。
【００３２】
また、上述した緩衝具３の取り付け方法以外にも、図５に示すように、予め弾性部材５の内部の空洞に固定部材６の保持部６ａを挿入しておき、その状態を維持したまま、固定部材６の固定部６ｂを溝７ａに嵌め込んで固定してもよい。
すなわち、溝７ａに予め接着剤を流し込んでから、固定部材６の固定部６ｂを溝７ａに暫定的に配置し、弾性部材５の表面部５ａを表側からハンマーなどで叩いて、固定することになる。
このとき、弾性部材５が傷つかないように、弾性部材５とハンマーとの間に当て材などを介在させることが好ましい。
これにより、固定部材６の固定部６ｂが溝７ａの奥深くに入り込むとともに、固定部６ｂに形成された複数の鋸歯状の突起も溝７ａの壁面に引っ掛かかり、接着剤の接着力と相俟って、固定部材６は、弾性部材５を保持した状態で、木質パネル７の側面に堅固に固定される。
【００３３】
このように、緩衝具３は、比較的簡易な取り付けで、木質パネル７の側面に弾性部材５を均一かつ強固に取り付けることができ、弾性部材５が劣化したときでも、その弾性部材５の交換も容易に行うことができる。さらに、本発明の緩衝具３は、簡易な構成なため、補修も容易で、取り付け場所を選ばずに用いることができる。
【００３４】
図４（ａ）は、片引き戸タイプの引き戸１、（ｂ）は両引き戸タイプの引き戸１に本発明の緩衝具３がそれぞれ取り付けられ、指が挟まれた状態を示す説明図である。
このように、本発明の緩衝具３は、様々な引き戸１に適用することが可能であり、さらに、（ａ）引き戸１と枠材２の間、（ｂ）引き戸１と引き戸１の間に指が挟まれたとしても、弾性部材５は潰れるが、弾性部材５の内部に空洞を有し、しかも固定部材６の保持部６ａが木質パネル７の側面に沿った扁平な形状のため、その弾力性により指が固定部材６に当ることを防ぐことができる。
つまり、緩衝具３の弾性部材５は、怪我につながらない程度の弾力性と潰れしろを有するため、その衝撃を軽減させることができる。
また、緩衝具３を用いれば、指が挟まれた状態でも、小さな力で、容易に指を引き抜くことができ、弾性部材５は、指が引き抜かれると弾性力により元の形状に復帰する。
【００３５】
以上、本発明の緩衝具３の好ましい実施形態について説明したが、本発明に係る緩衝具３は、上述した実施形態に限定されるものではなく、本発明の範囲で種々の変更実施ができる。
例えば、上述した実施形態では、「片引き戸」や「両引き戸（引き分け戸）」などの引き戸１に本発明の緩衝具３を用いて説明したが、２枚の引き戸１を左右にどちらでも移動させ開閉することができる「引き違い戸」、戸を前後に開閉することができる「開き戸」など様々な戸に用いることができる。
また、戸以外の木質パネル７にも用いることができ、変形例として、例えば、衝立の側面、カウンターの側面、図６（ａ）に示すように枠材２の側面、図６（ｂ）に示すように家具（テーブル）の側面などにも本発明の緩衝具３を用いることができる。なお、図６（ｂ）の家具（テーブル）の場合は、緩衝具３を用いることで、家具（テーブル）の突出した箇所を、丸みを帯びた曲線状にすることができるため、衝突時の怪我を防ぐことができる。
このように、戸の開閉動作の際、戸の隙間に指や手などの身体の一部が挟まるときの衝撃を軽減する以外にも、家具や壁などの突出した箇所にも緩衝具３を用いることができ、この場合、その突出した箇所に衝突したときの衝撃を軽減することができる。
【符号の説明】
【００３６】
１  引き戸
２  枠材
３  緩衝具
５  弾性部材
５ａ  表面部
５ｂ  底面部
５ｃ  開口
６  固定部材
６ａ  保持部
６０  凹部
６０ａ  底面（固定面）
６１  湾曲部（保持面）
６ｂ  固定部
７  木質パネル
７ａ  溝
【図１】
2020079501.tif 000003
【図２】
2020079501.tif 000004
【図３】
2020079501.tif 000005
【図４】
2020079501.tif 000006
【図５】
2020079501.tif 000007
【図６】
2020079501.tif 000008